(57)【要約】【課題】フィルタ袋体の裏面部位での捕塵性を確保しつつ、フィルタ袋体の早期の目詰まりを抑制して長く使用でき、かつ、ろ過分離された塵をより多量に溜め得る電気掃除機用集塵袋を提供する。【解決手段】塵通孔２４を有した支持板２３の裏面に通気性のフィルタ袋体２５が固定された電気掃除機用集塵袋２１を前提とする。フィルタ袋体２５は、支持板２３に固定された第１のフィルタ部材２６と、この第１のフィルタ部材２６の周縁部に接着され第１のフィルタ部材２６とともにフィルタ袋体２５をなす第２のフィルタ部材３１とを備える。第２のフィルタ部材３１は、フィルタ袋体２５が膨らんだ状態で支持板２３の裏面に対向するように配置される裏面部位３１ａを有する。第１のフィルタ部材２６の通気性を第２のフィルタ部材３１の通気性より高くしたことを特徴としている。【選択図】図５
2010273975.tif 000002
【特許請求の範囲】
【請求項１】
塵通孔を有した支持板の裏面に通気性のフィルタ袋体が固定された集塵袋において、前記フィルタ袋体が、前記支持板に固定された第１のフィルタ部材と、前記フィルタ袋体が膨らんだ状態で前記支持板の裏面に対向するように配置される裏面部位を有して前記第１のフィルタ部材の周縁部に接着され前記第１のフィルタ部材とともに前記フィルタ袋体をなす第２のフィルタ部材とを備え、前記第１のフィルタ部材の通気性が前記第２のフィルタ部材の通気性より高いことを特徴とする電気掃除機用集塵袋。
【請求項２】
前記両フィルタ部材が熱可塑性の化学繊維からなるろ材で作られているとともに、これらフィルタ部材の周縁部が溶着により接着されていることを特徴とする請求項１の記載の電気掃除機用集塵袋。
【請求項３】
前記第１のフィルタ部材をなすろ材の層数が、前記第２のフィルタ部材をなすろ材の層数より少ないことを特徴とする請求項１又は２に記載の電気掃除機用集塵袋。
【請求項４】
前記第２のフィルタ部材がニ層以上のろ材で形成されているとともに、これらのろ材の内で前記フィルタ袋体の内部空間に臨んだろ材が、前記第１のフィルタ部材をなしたろ材の内で前記フィルタ袋体の内部空間に臨んだろ材とは異なる材質で形成されていて、このろ材の捕塵性が前記第１のフィルタ部材をなしたろ材の捕塵性より高いことを特徴とする請求項３に記載の電気掃除機用集塵袋。
【請求項５】
前記第２のフィルタ部材がニ層以上のろ材で形成されているとともに、これらのろ材の内で前記フィルタ袋体の内部空間に臨んだろ材が、これより外側のろ材より厚くかつ捕塵性が高いことを特徴とする請求項１から３の内のいずれか一項に記載の電気掃除機用集塵袋。
【請求項６】
前記第１のフィルタ部材が前記支持板より大形な四角形状であり、前記第２のフィルタ部材が、前記第１のフィルタ部材と略同じ大きさの四角形状をなした前記裏面部位、及びこの裏面部位から夫々互いに近付くように折り込まれた少なくとも一対のガセット部を有し、前記第１のフィルタ部材の内面に前記ガセット部を対向させて前記第１、第２のフィルタ部材の周縁部が接着されていることを特徴とする請求項１から５の内のいずれか一項に記載の電気掃除機用集塵袋。
【請求項７】
消臭材又は抗菌材の内の少なくとも一方が前記フィルタ袋体の少なくとも一部に含浸又は塗布されていることを特徴とする請求項１から６の内のいずれか一項に記載の電気掃除機用集塵袋。
【請求項８】
消臭材又は抗菌材の内の少なくとも一方が前記第１のフィルタ部材に含浸又は塗布されていることを特徴とする請求項７に記載の電気掃除機用集塵袋。
【発明の詳細な説明】
【技術分野】
【０００１】
本発明は、掃除機本体に吸引された含塵空気をろ過して塵と空気とに分離し分離された塵を溜める電気掃除機用集塵袋に関する。
【背景技術】
【０００２】
掃除機本体にセットされて、吸引送風機の起動に伴い膨張して内部に塵が収集される袋状体と、この袋状体の前壁に取付けられて掃除機本体へのセットに用いられるとともに塵吸入口が中央部に設けられた支持板とを備えた電気掃除機用集塵フィルタが、従来技術として知られている（例えば、特許文献１参照。）。
【０００３】
この集塵フィルタの袋状体は、通気性及び可撓性を有するろ材、つまり、紙等の保護シートとその内側に重なるように設けられた不織布シートとからなる単一のろ材を用いて作られている。すなわち、前記単一のろ材は、横長筒状でその長手方向両端を折り曲げて閉じるとともに、長手方向両側部にシングル又はダブルのガセット部（折込み部）を設けて形成されている。この袋状体は、横長筒状とするための貼合わせ部と、長手方向両端を閉じるための貼合わせ部を有していて、これら貼合わせ部での貼合わせは接着材を用いた接着により行われている。
【先行技術文献】
【特許文献】
【０００４】
【特許文献１】特開平２−３０２２３６号公報（第３頁右上欄第１３行〜同頁左下欄第２０行、第４頁右上欄第３行〜第１０行、図１−図３、図７、図１０）
【発明の概要】
【発明が解決しようとする課題】
【０００５】
吸引送風機の起動に伴い膨張された袋状体の裏面部位は、支持板の裏側に対向するように位置されて、支持板の塵吸入口を通って袋状体に吸込まれた気流（含塵空気流）が最も強く作用する部位であるので、この裏面部位で良好なろ過ができるようにすることが好ましい。
【０００６】
そのために、特許文献１の集塵フィルタでは、塵を絡め取り易い不織布で袋状体の内面を形成して、袋状体の裏面部位での捕塵性を高めている。なお、これ以外に、裏面部位で良好なろ過ができるようにするために、袋状体を形成するろ材の使用枚数を増やして裏面部位を厚くすることで、裏面部位の捕塵性を高めることも考えられている。
【０００７】
しかし、捕塵性を高めると、その工夫によって集塵袋の通気性が低下する。そのため、既述のように単一のろ材で袋状体が形成されていることにより袋状体の各部の通気性が同じである特許文献１の集塵フィルタの袋状体の通気性は、比較的よくない。
【０００８】
したがって、特許文献１の集塵フィルタは、その裏面部位が塵の捕捉に伴い目詰まり状態になると、その後、比較的短期間で袋状体の裏面側部位以外も目詰まりし易く、それにより、長く使用するには好適ではない。更に、袋状体の長手方向及び長手方向の両端が夫々接着されている特許文献１の集塵フィルタでは、接着の信頼性を確保するために、接着材が塗布された面積が比較的大きく、かつ、これら３箇所の通気性がない接着部に応じて袋状体全体のろ過面積が減少されているので、より短期間に目詰まり状態となり易い。そして、袋状体全体が目詰まり状態になると、袋状体を通過する気流の量及び速度が低下する。これに伴い、袋状体を通過する気流により、袋状体内に溜められた塵を圧縮する性能も低下するので、より多くの塵を集塵するには好適ではない。
【０００９】
以上のように従来の集塵フィルタは、その袋状体の裏面部位での捕塵性を確保しつつ、早期の目詰まりを抑制して長く使用するとともに、ろ過により分離された塵をより多量に溜めるには適していない、という課題がある。
【課題を解決するための手段】
【００１０】
前記の課題を解決するために、本発明の電気掃除機用集塵袋は、塵通孔を有した支持板と、この支持板の裏面に固定された第１のフィルタ部材及びこのフィルタ部材の周縁部に接着された第２のフィルタ部材を有してなる通気性のフィルタ袋体とを備え、このフィルタ袋体が膨らんだ状態で支持板の裏面に対向するように配置される裏面部位を有した第２のフィルタ部材の通気性より、第１のフィルタ部材の通気性を高くしたことを特徴としている。
【００１１】
本発明で、第１、第２のフィルタ部材の周縁部は、接着材を用いて接着されていても、或いは溶着より接着されていてもよい。本発明で、第２のフィルタ部材の捕塵性は、第１のフィルタ部材の捕塵性と同等でも差し支えないが、より高いことが好ましい。
【００１２】
本発明では、ろ過により分離された塵を溜めるフィルタ袋体が、支持板に固定された第１のフィルタ部材と、フィルタ袋体に吸込まれた気流（含塵空気流）が最も強く作用する裏面部位を有して第１のフィルタ部材の周縁部に接着された第２のフィルタ部材を備える。そのため、これらフィルタ部材をなすろ材の材質、層数、及び厚み等の選定により、フィルタ袋体の通気性を主として第１のフィルタ部材で担い、フィルタ袋体の捕塵性を主として第２のフィルタ部材で担った集塵袋を提供できる。
【００１３】
この集塵袋によれば、第２のフィルタ部材の捕塵性（ろ過により塵を捕捉する性能）に起因して、フィルタ袋体全体の通気性が早期に低下されることを、第１のフィルタ部材の通気性により抑制できるとともに、第１のフィルタ部材での通気性が高められることに起因して、吸込み気流が強く作用する裏面部位を有した第２のフィルタ部材での捕塵性が低下されることがない。したがって、フィルタ袋体の裏面部位での捕塵性を確保しつつ、フィルタ袋体の早期の目詰まりを抑制して長く使用できるともに、ろ過により分離された塵を気流で圧縮する作用を継続させて、より多量の塵をフィルタ袋体内に溜めることができる。
【００１４】
本発明においては、前記両フィルタ部材が熱可塑性の化学繊維からなるろ材で作られているとともに、これらフィルタ部材の周縁部が溶着により接着されていることが好ましい。この好ましい形態で溶着とは、高温のシール型をフィルタ袋体の接着予定部に押し付けて、該接着予定部を融着させることを指しており、例えばエンボス加工を伴ってもよい。更に、この好ましい形態で、両フィルタ部材の周縁部とは、溶着により形成された接着部と同じであること、又は、溶着により形成された接着部及びこの接着部から外側に食み出した末端部分からなることを指しており、前者の周縁部である場合は、集塵袋の保管や取扱いに伴ってほつれる可能性がある末端部分がない点で好ましい。
【００１５】
本発明においては、前記第１のフィルタ部材をなすろ材の層数が、前記第２のフィルタ部材をなすろ材の層数より少ないことが好ましい。この好ましい形態で、ろ材の層数とは少なくとも一層であることを指しており、層数が二層以上である場合、各層を担うろ材の同種のろ材でも異種のろ材であっても差し支えない。
【００１６】
本発明においては、前記第２のフィルタ部材がニ層以上のろ材で形成されているとともに、これらのろ材の内で前記フィルタ袋体の内部空間に臨んだろ材が、前記第１のフィルタ部材をなしたろ材の内で前記フィルタ袋体の内部空間に臨んだろ材とは異なる材質で形成されていて、このろ材の捕塵性が前記第１のフィルタ部材をなしたろ材の捕塵性より高いことが好ましい。
【００１７】
本発明においては、前記第２のフィルタ部材がニ層以上のろ材で形成されているとともに、これらのろ材の内で前記フィルタ袋体の内部空間に臨んだろ材が、これより外側のろ材より厚くかつ捕塵性が高いことが好ましい。この好ましい形態で、第２のフィルタ部材を担うニ層以上のろ材は、同種のろ材でも異種のろ材であっても差し支えないとともに、これらのろ材の肉厚は同じでも異なっていてもよい。
【００１８】
本発明においては、前記第１のフィルタ部材が前記支持板より大形な四角形状であり、前記第２のフィルタ部材が、前記第１のフィルタ部材と略同じ大きさの四角形状をなした前記裏面部位、及びこの裏面部位から夫々互いに近付くように折り込まれた少なくとも一対のガセット部を有し、前記第１のフィルタ部材の内面に前記ガセット部を対向させて前記第１、第２のフィルタ部材の周縁部が接着されていることが好ましい。この好ましい形態では、フィルタ袋体の厚み方向でのガセット部の折込み数を一としてシングルガセット型の集塵袋とすることもでき、同様に、ガセット部の折込み数を二又は三としてダブルがセット型又はトリプルガセット型の集塵袋とすることもできる。
【００１９】
本発明においては、消臭材又は抗菌材の内の少なくとも一方が前記フィルタ袋体の少なくとも一部に含浸されていることが好ましい。この好ましい形態で、消臭材又は抗菌材の内の少なくとも一方とは、消臭材単独、抗菌材単独、或いはこれら消臭材と抗菌材の双方、若しくは消臭作用及び抗菌作用がある薬剤（消臭・抗菌剤）のいずれかを指している。更に、この好ましい形態で、フィルタ袋体の少なくとも一部とは、第１のフィルタ部材、又は第２のフィルタ部材、若しくは両フィルタ部材のいずれかを指しているとともに、該当するフィルタ部材がニ層以上である場合、その内の少なくとも一層に消臭材又は抗菌材の内の少なくとも一方を含浸させればよいが、フィルタ袋体内に溜められた塵に消臭作用又は抗菌作用をより有効に作用させる上では、消臭材又は抗菌材の内の少なくとも一方を、フィルタ袋体の内部空間に臨んだろ材に含浸させるとよい。又、含浸させる代わりに塗布してもよい。
【００２０】
本発明においては、消臭材又は抗菌材の内の少なくとも一方が前記第１のフィルタ部材に含浸又は塗布されていることが好ましい。この好ましい形態で、第１のフィルタ部材がニ層以上である場合、その内の少なくとも一層に消臭材又は抗菌材の内の少なくとも一方を含浸又は塗布させればよいが、フィルタ袋体内に溜められた塵に消臭性能又は抗菌性能をより有効に作用させる上では、消臭材又は抗菌材の内の少なくとも一方を、フィルタ袋体の内部空間に臨んだ第１のフィルタ部材のろ材に含浸又は塗布させるとよい。
【発明の効果】
【００２１】
本発明の電気掃除機用集塵袋によれば、フィルタ袋体の裏面部位での捕塵性を確保しつつ、フィルタ袋体の早期の目詰まりを抑制して長く使用できるとともに、ろ過により分離された塵をより多量に溜めることができる、という効果がある。
【図面の簡単な説明】
【００２２】
【図１】本発明の一実施の形態に係る集塵袋を備えた電気掃除機を一部切欠いて示す略平面図である。
【図２】図１の電気掃除機を一部切欠いて示す略側面図である。
【図３】(Ａ）は本発明の一実施の形態に係る集塵袋の正面図である。（Ｂ）は同集塵袋の裏面図である。
【図４】本発明の一実施の形態に係る集塵袋の側面図である。
【図５】図３(Ｂ）中矢印Ｆ５−Ｆ５線に沿って示す集塵袋の断面図である。
【図６】本発明の他の実施の形態に係る集塵袋を示す図５相当の断面図である。
【発明を実施するための形態】
【００２３】
以下、本発明の一実施の形態について、図１〜図５を参照して詳細に説明する。
【００２４】
図１及び図２中符号１は例えばキャニスタ型の電気掃除機を示している。この電気掃除機１が備える掃除機本体２は、その前部に取付けられたキャスター３、及び後部に取付けられた一対の車輪４により掃除対象の部屋の床面上に沿って移動可能である。
【００２５】
掃除機本体２には後述する集塵袋の裏面部位を支持する袋支持部材を兼ねる仕切り５が設けられ、この仕切り５を境に掃除機本体２内は、仕切り５の後側(下流側)の電動送風機室２ａと前側(上流側)の集塵室２ｂとに分けられている。集塵室２ｂは例えば掃除機本体２の前部上面に開放されている。
【００２６】
仕切り５は例えば合成樹脂で形成されている。従って、本実施形態では仕切り５の前面全体が集塵室２ｂに臨んでいる。この仕切り５の集塵室２ｂに臨んだ領域は通気性を有している。この通気性を得るために、仕切り５に複数の通気部例えば上下方向に延びる複数のスリット５ａが形成されている。複数の通気部は円形又は長円形等の孔形状を有した小孔であってもよいとともに、これら小孔によって仕切り５の集塵室２ｂに臨んだ領域を格子状に構成することも可能である。なお、後述の裏面部位３１ａが仕切り５の前面(上流側面)に沿うように平らに変形しへばり付いてスリット５ａが塞がれることを抑制するために、この前面にリブを複数設けるとよい。
【００２７】
掃除機本体２は後述の電動送風機８に吸い込まれる気流を基準として仕切り５の上流側に位置する吸込み口６を有しており、本実施形態では掃除機本体２の前端部に吸込み口６が設けられている。吸込み口６はこれと仕切り５との間の集塵室２ｂに連通している。掃除機本体２は集塵室２ｂに臨んだ吸込み口６の出口端に連続する袋支持壁２ｃを有している。
【００２８】
袋支持壁２ｃは、例えば仕切り５と平行に設けられていて、集塵室２ｂの前端を仕切っている。この袋支持壁２ｃに支持溝２ｄが形成されている。支持溝２ｄは、掃除機本体２を前側から見て吸込み口６の左右両側に設けられて上端が開放された左右の縦溝部（図１参照）と、これら縦溝部の下端間を連続して吸込み口６の下側に設けられた下溝部(図２参照)とを有している。
【００２９】
集塵室２ｂにはその底壁から上向きに一体に突出された底リブ７が複数（図２に一つのみ図示する。）設けられている。これら底リブ７は、袋支持壁２ｃと仕切り５とにわたるように前後方向に延びており、相互間に風路を確保している。
【００３０】
吸込み口６には図示しない吸込み風路体が接続される。吸込み風路体は、吸込み口６に一端部を挿入して接続される吸塵ホースと、このホースの他端部に接続された延長管と、この延長管の先端部に接続された吸込み口体を備えている。吸塵ホースの他端部には後述の電動送風機８に対する各種の指令を与えるための操作パネルを有した操作ハンドルが設けられている。したがって、電気掃除機１の運転時に駆動される電動送風機８の吸引力により、吸込み口体の下面に開口された吸込み開口から塵を伴って吸い込まれた空気（含塵空気）が、吸込み風路体内を通って吸込み口６に導入されて、集塵室２ｂに吸込まれる。
【００３１】
電動送風機室２ａには電動送風機８が収納されている。したがって、この電動送風機８と集塵室２ｂとの間に仕切り５が設けられている。電動送風機室２ａには、電動送風機８に電源を供給するコードリール装置（図示しない）が収容されている。コードリール装置が有した電源プラグ９（図１参照）は掃除機本体２外に引き出されて図示しない商用交流電源に接続される。更に、電動送風機室２ａにはインデユーサ１０が設けられている。インデユーサ１０は、仕切り５と電動送風機８とにわたって配置されていて、集塵室２ｂから仕切り５を通った空気を電動送風機８の吸気口（図示しない）に導く。なお、掃除機本体２の後端部には図示しない排気部が設けられていて、この排気部を電動送風機８から排出された空気が通って掃除機本体２外へ排気される。
【００３２】
掃除機本体２はその前部に本体蓋１１を有している。本体蓋１１はその後端部が回動支点となるように掃除機本体２の上面部に取付けられていて、この本体蓋１１を手動で回動させることにより集塵室２ｂの上面開口が開閉される。本体蓋１１にはその内面から下向きに一体に突出された蓋リブ１２が複数（図２に一つのみ図示する。）設けられている。これら蓋リブ１２は、袋支持壁２ｃと仕切り５とにわたるように前後方向に延びており、相互間に風路を確保している。
【００３３】
集塵室２ｂに集塵袋２１が収納されている。この集塵袋２１は本体蓋１１が開かれた状態で出し入れ可能である。図３〜図５を参照して集塵袋２１について詳しく説明する。集塵袋２１は、シール材２２が固定された支持板２３と、通気性を有したフィルタ袋体２５とを備えている。
【００３４】
支持板２３は、ボール紙のような厚紙からなり、図３(Ａ)に示すように略四角形状をなしていて、支持溝２ｄに対して上下方向に挿脱可能な大きさに形成されている。この支持板２３の中央部に塵通孔２４を有している。塵通孔２４は例えば円形である。支持板２３の裏面に接着材（図示しない）を用いてシール材２２が接着止めされている。このシール材２２は、柔軟でかつ弾性を有するゴムシート等の薄い膜からなり、中央部に通孔２２ａを有している。通孔２２ａの直径は塵通孔２４より小さい。シール材２２の通孔２２ａ及びこの通孔２２ａ周りの部位は塵通孔２４内に対向している。
【００３５】
図５に示すようにフィルタ袋体２５は、第１のフィルタ部材２６と第２のフィルタ部材３１とを備えている。
【００３６】
第１のフィルタ部材２６は、集塵袋２１が掃除機本体２内にセットされた状態で、フィルタ袋体２５を通過して電動送風機８に吸込まれる気流を基準として、第２のフィルタ部材３１よりも上流側、具体的には第２のフィルタ部材３１の前側に主として配置される。この第１のフィルタ部材２６は、通気性を有したろ材例えば不織布を二層に複合して形成されており、その通気性は第２のフィルタ部材３１の通気性より高い。
【００３７】
第１のフィルタ部材２６の内層をなす内側ろ材２７は、フィルタ袋体２５の内部空間に臨んでいる。この内側ろ材２７は、メルトブローン法により製造された熱可塑性の化学繊維製の不織布である。第１のフィルタ部材２６の外層をなす外側ろ材２８は、スパンボンド法により製造された熱可塑性の化学繊維製の不織布である。
【００３８】
即ち、内側ろ材２７は、溶融した樹脂例えばポリプロピレンをノズルから高温で押し出し、糸状にする同時に延伸し、この糸からなる繊維をコンベアネットの上に降らせて繊維同士を絡ませた後、熱によるドットエンボス加工で圧着してシート化することで得た不織布である。外側ろ材２８は、溶融した樹脂例えばポリプロピレンをノズルから高温で押し出した溶融ポリマーを、高温のエアーで吹き飛ばして繊維を細くすることで得た不織布である。
【００３９】
このスパンボンド法で製造された不織布の方が、メルトブローン法で製造された不織布よりも繊維径が細くなり易いので、塵の捕集性能（捕塵性）が高い。こうした外側ろ材２８の製造においては、圧着によるシート化を伴うことなく、高温のエアーで吹き飛ばされた繊維を、既にシート状に製造された内側ろ材２７に直接吹き付けて、この外側ろ材２８と内側ろ材２７とが複合化されている。これにより、内側ろ材２７と外側ろ材２８間の層間剥離をある程度可能としつつ、内外両ろ材２７，２８の繊維を潰すことなく、これらのろ材２７，２８を複合できるので、低圧損で高効率の第１のフィルタ部材２６とすることができる。
【００４０】
以上のようにニ層に複合された第１のフィルタ部材２６の展開状態での形状は、支持板２３より大形な四角形状、例えば図３（Ａ）に示すような長方形状である。この第１のフィルタ部材２６の中央部は支持板２３の裏面に接着材を用いて固定されている。この場合、支持板２３を周部は接着領域から外れている。
【００４１】
第２のフィルタ部材３１は、集塵袋２１が掃除機本体２内にセットされた状態で、フィルタ袋体２５を通過して電動送風機８に吸込まれる気流を基準として、第１のフィルタ部材２６よりも下流側、具体的には第１のフィルタ部材２６の後側に主として配置される。この第２のフィルタ部材３１は、通気性を有した複数のろ材により、第１のフィルタ部材２６より多層でかつ厚く形成されている。具体的には、例えば三層の不織布を用いて第２のフィルタ部材３１が形成されている。この第２のフィルタ部材３１の通気性は第１のフィルタ部材２６の通気性より低い。
【００４２】
第２のフィルタ部材３１の内層をなす内側ろ材３２は、フィルタ袋体２５の内部空間に臨んでいる。この内側ろ材３２は、第１のフィルタ部材をなしたろ材２７，２８とは異なる材質、例えば熱可塑性の化学繊維具体的にはポリエステル製の不織布で形成されていて、ニードルパンチ加工が施されている。ニードルパンチ加工は、内側ろ材３２をなすポリエステル製の不織布に数千本の細い針を刺す加工である。それによって、ポリエステル製の不織布の繊維がふわふわとなるように起毛されていて、後述する外側ろ材３３及び中間ろ材３４よりも厚く形成されている。ニードルパンチ加工が施されたろ材は、同加工が施されないろ材よりも通気性が低い。
【００４３】
第２のフィルタ部材３１の外層をなす外側ろ材３３は、スパンボンド法により製造された熱可塑性の化学繊維例えばポリプロピレン製の不織布である。第２のフィルタ部材３１の中間層をなす中間ろ材３４は、メルトブローン法により製造された熱可塑性の化学繊維例えばポリプロピレン製の不織布である。
【００４４】
内側ろ材３２、中間ろ材３４、及び外側ろ材３２の通気性は、これらろ材の記載順に低くなっている。更に、既述のように内側ろ材３２は、中間ろ材３４及び外側ろ材３２よりも肉厚であり、しかも、中間ろ材３４及び外側ろ材３２よりも捕塵性が高い。
【００４５】
図５に示すように第２のフィルタ部材３１は、裏面部位３１ａと左右一対のガセット部３１ｂを有している。したがって、本実施形態の集塵袋２１はシングルガセット型である。図３（Ａ）(Ｂ）の対比から明らかなように裏面部位３１ａは、第１のフィルタ部材２６と略同じ大きさの四角形状をなしている。左右のガセット部３１ｂは、裏面部位３１ａの両側縁から互いに近付くように折り込まれている。これらの折込み形状は図５に示すように断面略Ｖ形状である。
【００４６】
第１のフィルタ部材２６と第２のフィルタ部材３１とは、互いの内側ろ材２７,３２を重ね合わせて組み合わされ、それらの周縁部が接着されて、フィルタ袋体２５を形成している。この場合の接着は、フィルタ袋体２５が熱可塑性のろ材からなるので、前記周縁部を例えば高周波熱溶着により接着することでなされており、この溶接による接着跡からなる接着部を図１〜図５中符号３５で示す。この接着部３５の幅は数ｍｍと狭い。これとともに接着部３５はフィルタ袋体２５の周縁部をなしている。これにより、フィルタ袋体２５の周縁部に、集塵袋２１の保管や取扱いに伴ってほつれる可能性がある末端部分、つまり、接着部３５の外側に食み出すろ材の末端部分がない点で好ましい。
【００４７】
フィルタ袋体２５をなす各ろ材２７，２８，３２〜３４の夫々には、図示しない消臭材又は抗菌材が含浸されている。この場合、第１のフィルタ部材２６がニ層のろ材２７，２８からなるので、フィルタ袋体２５内に溜められる塵に接する内側ろ材２７に抗菌材を含浸させ、外側ろ材２８に消臭材を含浸させることが好ましい。同様に、第２のフィルタ部材３１が三層のろ材３２〜３４からなるので、その内側ろ材３２に抗菌材を含浸させ、外側ろ材３３及び中間ろ材３４に消臭材を含浸させることが好ましい。
【００４８】
なお、消臭材又は抗菌材は、第１のフィルタ部材２６又は第２のフィルタ部材３１のいずれか一方に含浸させることもできる。この場合、特に、消臭材は通気性が高い方の第１のフィルタ部材２６の少なくとも一層のろ材に含浸させるとよい。それにより、集塵袋２１内に溜められた塵に邪魔されることなく、集塵袋２１から流出される空気に対する消臭作用を付与できる点で好ましい。
【００４９】
前記構成の集塵袋２１が折り畳まれる前の状態は図３（Ａ）（Ｂ）、図４に示されている。この状態においてフィルタ袋体２５の支持板２３から上下に食み出している部分は、図４中矢印に示すように折り畳んで支持板２３の裏側に配置され、こうした折畳み状態で集塵袋２１は掃除機本体２の集塵室２ｂにセットされる。この場合、支持板２３を、袋支持壁２ｃの支持溝２ｄに上方から差し込んで支持することにより、集塵袋２１がセットされる。このセット状態で支持板２３の塵通孔２４は図１及び図２に示すように掃除機本体２の吸込み口６に正対して配置される。
【００５０】
本体蓋１１で集塵室２ｂを密閉した後に、電動送風機８を駆動して電気掃除機１を使用状態にすると、集塵袋２１のフィルタ袋体２５は、直ちに、フィルタ袋体２５をその内部から外部に通過する空気の流れによって膨張する。
【００５１】
この場合、電動送風機８の起動直後に、支持板２３の塵通孔２４の真後ろに対向するように位置されているフィルタ袋体２５の裏面部位３１ａに、強い風圧が作用する。ところで、この裏面部位３１ａとその左右両側に一体に連続している側面部位とからなる第２のフィルタ部材３１の通気性は、裏面部位３１ａより前側の第１のフィルタ部材２６の通気性より低い。そのため、第２のフィルタ部材３１を空気が流通するもその際に抵抗は比較的大きく、フィルタ袋体２５を後方に向けて膨張させ易い。しかも、この際に、第２のフィルタ部材３１がその左右両側に有したガセット部３１ｂが開かれて、フィルタ袋体２５の後方へ向けての膨張が許容される。したがって、フィルタ袋体２５は、後方に向けて素早く、かつ、確実に膨張される。
【００５２】
こうしたフィルタ袋体２５の膨張は、その裏面部位３１ａが仕切り５に当たって支持される一方で、フィルタ袋体２５の下部が底リブ７に当たって支持されるとともに、フィルタ袋体２５の上部が蓋リブ１２に当たって支持されることにより、制限される。それにより、フィルタ袋体２５が所定形状に膨張される。こうして集塵袋２１が膨張された状態を図１及び図２に示すとともに、図４及び図５中二点鎖線で示す。
【００５３】
以上のようにフィルタ袋体２５が膨張するに伴って、第１のフィルタ部材２６の上部及び下部は図４中ニ点鎖線で示すように斜め後方へ引っ張られる。これに伴って、接着部３５は、略半円弧状をなして曲げられるが、潰されることがないので、接着部３５に大きな負荷が与えられることがない。これに対して、一対のガセット部３１ｂが第１のフィルタ部材２６に設けられている場合、図５中Ｆ部に接着部が形成されるが、このＦ部はフィルタ袋体２５の既述の膨張に伴い座屈するようにグチャグチャに変形される。そのため、Ｆ部に設けられた接着部３５に過大な負荷が与えられることは否めないとともに、前記Ｆ部は風圧が強く作用する部位でもある。したがって、Ｆ部に接着不良があると、そこからフィルタ袋体２５がほころんでしまう恐れが考えられる。しかし、こうした恐れは前記集塵袋２１においては解消できる。
【００５４】
集塵袋２１がセットされた状態で、電動送風機８の駆動に伴い空気とともに集塵袋２１に吸込まれた塵は、フィルタ袋体２５でろ過されて空気と分離されてフィルタ袋体２５内に溜められる。これとともに、この塵から分離されてフィルタ袋体２５を通過した空気は、フィルタ袋体２５の周りを流動し支持板５のスリット５ａを通って電動送風機８に吸込まれ、更に、電動送風機８外に流出した後に、掃除機本体２の排気部を通って外部に放出される。
【００５５】
以上のような集塵袋２１による塵の捕集において、第２のフィルタ部材３１は、その厚み方向に三層のろ材３２〜３４で形成されていて、これら三層のろ材３２〜３４で塵をその大きさに適合したろ材でろ過できるので、単位面積あたりの通気性がよく、目詰まりし難い。なお、ここに通気性が良いとはいえ、その通気性は第１のフィルタ部材２６の通気性より低いレベルである。更に、第２のフィルタ部材３１の内側ろ材３２は、ニードルパンチ加工を施されているので、比較的大きな塵を捕捉するのに適している。これに対して第２のフィルタ部材３１の中間ろ材３４及び外側ろ材３３は、その通気性が内側ろ材３２より低いので、内側ろ材３２を通過した細かい塵を捕捉するのに適している。
【００５６】
集塵袋２１の使用期間が長くなるにしたがって、第２のフィルタ部材３１の目詰まりが進行するので、それに伴い第２のフィルタ部材３１を通過する風量が減る。そして、ある程度目詰まりが進行すると、フィルタ袋体２５に吸込まれた気流が、主として裏面部位３１ａで前側に向けて反射されるようになる。
【００５７】
しかし、集塵袋２１は、裏面部位３１ａを有した第２のフィルタ部材３１とは別にこれより前側に第１のフィルタ部材２６を備えている。そのため、第２のフィルタ部材３１の目詰まりが進行し、裏面部位３１ａで前側に向けて反射される気流が多くなった状態では、フィルタ袋体２５内の空気は主として第１のフィルタ部材２６を通過するようになる。この第１のフィルタ部材２６の通気性は既述のように第２のフィルタ部材３１よりも通気性が良いので、この第１のフィルタ部材２６の目詰まりの進行は、第２のフィルタ部材３１の目詰まりの進行よりも遅い。これにより、フィルタ袋体２５全体が比較的早期に目詰まりすることが抑制されるので、集塵袋２１を長く使用することができる。
【００５８】
更に、フィルタ袋体２５は、その第１のフィルタ部材２６と第２のフィルタ部材３１の周縁部を、熱融着による接着、つまり、溶着することで形成されているので、接着材を用いて形成された接着部と比較して、接着部３５に数ｍｍ程度の狭い幅しか要さないで、確実な接着ができる。そのため、フィルタ袋体２５のろ過面積を多く確保できるに伴い、フィルタ袋体２５の目詰まりの進行を遅くできる。この点でも、フィルタ袋体２５が短期間に目詰まり状態になり難いので、集塵袋２１を長く使用できる。
【００５９】
加えて、第２のフィルタ部材３１は第１のフィルタ部材２６より厚いだけではなく、その内側ろ材３２は他のろ材より厚くかつ略起毛状態を呈しているので、この内側ろ材３２は既述のように粗い塵を捕捉するだけではなく、細かな塵も内側ろ材３２の厚み内に捕捉できる。そのため、第２のフィルタ部材３１の裏面部位３１ａに吹き当たった細塵が前側に反射されて第１のフィルタ部材２６で捕捉される量が少なくなり、それに伴い、第１のフィルタ部材２６の目詰まりの進行を遅らせることができるので、この点でも集塵袋２１を長く使用できる。
【００６０】
しかも、以上のように第１のフィルタ部材２６よりも通気性が低い第２のフィルタ部材３１の目詰まりの進行に拘らず、フィルタ袋体２５全体での通気性を、第１のフィルタ部材２６により良好に維持できるに伴い、フィルタ袋体２５を通過して電動送風機８に吸込まれる気流の量及び速度が大きく低下することを抑制できる。そのため、フィルタ袋体２５内に集塵された塵を吸込み気流で圧縮する機能も長期間にわたり持続でき、それに伴って、より多くの塵をフィルタ袋体２５内に溜めることができる。
【００６１】
以上のように前記構成の集塵袋２１によれば、そのフィルタ袋体２５の裏面部位３１ａでの捕塵性を確保しつつ、フィルタ袋体２５の早期の目詰まりを抑制して長く使用できるとともに、ろ過により分離された塵をより多量に溜めることができる。
【００６２】
図６は本発明の他の実施形態を示している。この他の実施形態の集塵袋は以下説明する事項以外は、一実施形態で説明した集塵袋と同じであるので、一実施形態と同じ構成については一実施形態と同じ符号を付してその説明を省略する。
【００６３】
他の実施形態の集塵袋２１の第１のフィルタ部材２６は、一実施形態と同じくメルトブローン法で作られた内側ろ材２７と、スパンボンド法で作られた外側ろ材２８との複合品からなる。これに対して第２のフィルタ部材３１は、ニードルパンチ加工を施されたポリエステル製の不織布で作られて他のろ材より厚くかつ略起毛状態を呈した内側ろ材３２と、メルトブローン法で作られて内側ろ材３２の外面に直接吹き付けられた外側ろ材３３の二層構造である。外側ろ材３３は、スパンボンド法で作られたろ材よりも通気性が低くかつ捕塵性が高い。そのため、第１のフィルタ部材２６の通気性はこれよりも厚い第２のフィルタ部材３１の通気性より高い。第２のフィルタ部材３１をなすろ材３２，３３の内でフィルタ袋体２５の内部空間に臨んだ内側ろ材３２は、第１のフィルタ部材２６をなしたろ材２７，２８とは異なる材質で形成されている。この内側ろ材３２の捕塵性が第１のフィルタ部材２６をなしたろ材２７，２８の捕塵性より高いので、この内側ろ材３２を有した第２のフィルタ部材３１の捕塵性は第１のフィルタ部材２６の捕塵性より高い。
【００６４】
以上説明した事項以外は、図示されない構成を含めて一実施形態と同じである。したがって、この他の実施の形態の集塵袋２１によれば、一実施の形態で既に説明した理由によって、本発明の課題を解決して、フィルタ袋体２５の裏面部位３１ａでの捕塵性を確保しつつ、フィルタ袋体２５の早期の目詰まりを抑制して長く使用できるとともに、ろ過により分離された塵をより多量に溜めることができる。更に、図６に示した他の実施形態では、第２のフィルタ部材３１も二層に組み合わされたろ材で作られているので、フィルタ袋体２５をなすろ材の層数が減らすことができる。それに伴い、フィルタ袋体２５を折り畳み易く、かつ、吸込み気流によるフィルタ袋体２５の膨張を円滑かつ素早く行わせ易い点で好ましい。
【符号の説明】
【００６５】
２１…集塵袋、２３…支持板、２４…塵通孔、２５…フィルタ袋体、２６…第１のフィルタ部材、２７…第１のフィルタ部材の内側ろ材、２８…第１のフィルタ部材の外側ろ材、３１…第２のフィルタ部材、３１ａ…第２のフィルタ部材の裏面部位、３１ｂ…ガセット部、３２…第２のフィルタ部材の内側ろ材、３３…第２のフィルタ部材の外側ろ材、３４…第２のフィルタ部材の中間ろ材、３５…接着部
【図１】
2010273975.tif 000003
【図２】
2010273975.tif 000004
【図３】
2010273975.tif 000005
【図４】
2010273975.tif 000006
【図５】
2010273975.tif 000007
【図６】
2010273975.tif 000008